(57)【特許請求の範囲】
【請求項１】
透液性表面シートと裏面シートとの間に吸収体が介在されるとともに、使用面側の両側部にそれぞれ長手方向に沿って使用面側に起立する立体ギャザーが形成された吸収性物品において、
前記立体ギャザーは、少なくとも体液排出部位を含む股間部領域において、断面が中空のループ状立体ギャザーと、その幅方向外側を起立基端とし先端が自由端とされた自由端状立体ギャザーとから構成されているとともに、前記股間部領域より後側及び前側の領域において、前記自由端状立体ギャザーの先端部が前記ループ状立体ギャザーの表面側に接合されていることを特徴とする吸収性物品。
【請求項２】
前記自由端状立体ギャザーの起立高さは前記ループ状立体ギャザーの起立高さより高く形成されている請求項１記載の吸収性物品。
【請求項３】
前記自由端状立体ギャザーを前記ループ状立体ギャザーの表面側に倒した状態で、前記自由端状立体ギャザーはループ状立体ギャザーの幅方向半分以上を覆うように形成されている請求項１、２いずれかに記載の吸収性物品。
【請求項４】
前記ループ状立体ギャザーと自由端状立体ギャザーとはそれぞれ別体のシートによって構成されている請求項１〜３いずれかに記載の吸収性物品。
【請求項５】
前記ループ状立体ギャザーは親水性を有し、前記自由端状立体ギャザーは撥水性を有するシートによって構成されている請求項４記載の吸収性物品。
【請求項６】
前記ループ状立体ギャザーのうち少なくとも幅方向内側には、部材長手方向に沿ってシート状吸収体が配設されている請求項１〜５いずれかに記載の吸収性物品。
【請求項７】
前記シート状吸収体が配設された部分のループ状立体ギャザーには、複数の開孔が設けられている請求項６記載の吸収性物品。
【発明の詳細な説明】
【技術分野】
【０００１】
本発明は、経血やおりものなどを吸収するための生理用ナプキン、パンティライナー、失禁パッド等の吸収性物品に係り、使用面側の両側部にそれぞれ長手方向に沿って使用面側に起立する立体ギャザーが形成された吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品においては、排泄された体液の横漏れを防止するため、吸収性物品の使用面側の両側部にそれぞれ長手方向に沿って使用面側に起立する立体ギャザーが種々の形態で形成されている。
【０００４】
例えば、下記特許文献１では、表面層における長手方向の両側部に互いに離間して形成され、シート状部材により中空部を有するように構成される一対のギャザーを備え、前記一対のギャザーそれぞれは、前記シート状部材が、吸収性物品の肌当接面側に凸となるような立体形状部を有し、該立体形状部は、吸収性物品の長手方向に延びるように形成された接合部により表面層及び／又は裏面層に接合されるとともに、中空部を構成するようにして形成され、前記接合部は、前記立体形状部における幅方向内方側の端部を形成する第１接合端部と、該立体形状部における幅方向外方側の端部を形成する第２接合端部とを含み、前記立体形状部における前記第１接合端部から前記第２接合端部までの長さＬ１と、前記第１接合端部と前記第２接合端部との間の距離である接合端部間距離Ｌ２との比（Ｌ１／Ｌ２）は２以上である吸収性物品が開示されている。
【０００５】
また、下記特許文献２では、吸収性本体の長手方向両側部それぞれに帯状の伸縮性シートを接合して形成された中空のループ状の防漏壁を備え、前記防漏壁それぞれは、装着者の体液排泄部に当接される排泄部領域を含む、該配設領域からその後方にかけての領域及び該排泄部領域からその前方にかけての領域の少なくとも何れか一方に、前記伸縮性シートの他側部が接合された接合部が、前記排泄部領域からその後方にかけての領域及び該排泄部領域からその前方にかけての領域の少なくとも何れか一方に、吸収性物品の幅方向の内側に向かって凸状に湾曲又は屈曲している内方凸部を有し、さらに前記伸縮性シートの一側部が接合された接合部が、他側部側の接合部が内方凸部を形成している部分において、吸収性物品の幅方向の外方に向かって凸状に湾曲又は屈曲している外方凸部を有していることにより、該防漏壁の高さが部分的に高い高壁部を有している吸収性物品が開示されている。
【先行技術文献】
【特許文献】
【０００６】
【特許文献１】特開２００９−６０６５号公報
【特許文献２】特開２０１０−１１０５５８号公報
【発明の概要】
【発明が解決しようとする課題】
【０００７】
しかしながら、上記特許文献１記載の吸収性物品では、立体ギャザーの幅方向断面形状が接合端部間距離Ｌ２よりもギャザーの立体形状における最大幅Ｌ３の方が大きい略Ω形状を有しているため、中空の立体形状部は必ずしも十分な高さで形成され難く、身体との密着性が失われて横漏れを生じるおそれがあった。
【０００８】
また、上記特許文献２記載の吸収性物品では、伸縮性シートの接合部を蛇行させることによって中空のループ状の防漏壁の高さを部分的に高くした高壁部を形成しているが、この高壁部が装着時に内側に倒れる可能性があり、この場合には吸収体の上面が伸縮性シートによって覆われるため、体液の吸収機能が低下するおそれがあった。上記特許文献１記載の吸収性物品においても、特に吸収性物品の長手方向両端部側における接合端部間距離を吸収性物品の長手方向中央部における接合端部間距離よりも大きく形成した場合には同様の問題が生じ得る。
【０００９】
そこで本発明の主たる課題は、使用面側の両側部にそれぞれ長手方向に沿って使用面側に起立する立体ギャザーが形成された吸収性物品において、身体の動きに追従して身体との間に隙間が形成されにくく安定した密着性を確保するとともに、立体ギャザーが内側に倒れにくくした吸収性物品を提供することにある。
【課題を解決するための手段】
【００１０】
上記課題を解決するために請求項１に係る本発明として、透液性表面シートと裏面シートとの間に吸収体が介在されるとともに、使用面側の両側部にそれぞれ長手方向に沿って使用面側に起立する立体ギャザーが形成された吸収性物品において、
前記立体ギャザーは、少なくとも体液排出部位を含む股間部領域において、断面が中空のループ状立体ギャザーと、その幅方向外側を起立基端とし先端が自由端とされた自由端状立体ギャザーとから構成されているとともに、前記股間部領域より後側及び前側の領域において、前記自由端状立体ギャザーの先端部が前記ループ状立体ギャザーの表面側に接合されていることを特徴とする吸収性物品が提供される。
【００１１】
上記請求項１記載の発明では、吸収性物品の使用面側の両側部にそれぞれ長手方向に沿って形成される立体ギャザーとして、少なくとも体液排出部位を含む股間部領域において、断面が中空のループ状立体ギャザーと、その幅方向外側を起立基端とし先端が自由端とされた自由端状立体ギャザーとによって構成されている。
【００１２】
このため、身体の動きにより不意に立体ギャザーと身体とが離れる方向に動いた場合でも、動きに対する自由度が高い自由端状立体ギャザーが身体に追従して身体との間に隙間を作らず、安定した密着性が確保されるようになる。また、通常の装着時には、ループ状立体ギャザーが安定して身体との密着性を保つことができる。
【００１３】
さらに、自由端状立体ギャザーがループ状立体ギャザーの外側に形成されているため、自由端状立体ギャザーが吸収体側に倒れ込むのを抑制することができ、体液の吸収機能を低下させることがなくなる。
【００１４】
さらに、本発明では、股間部領域より後側及び前側の領域において、自由端状立体ギャザーの先端部をループ状立体ギャザーの表面側に接合してあるため、おしり部分や下腹部分の違和感を低減できる。
【００１５】
請求項２に係る本発明として、前記自由端状立体ギャザーの起立高さは前記ループ状立体ギャザーの起立高さより高く形成されている請求項１記載の吸収性物品が提供される。
【００１６】
上記請求項２記載の発明では、自由端状立体ギャザーの起立高さをループ状立体ギャザーの起立高さより高く形成してあるため、自由端状立体ギャザーの身体への追従性が向上するようになる。
【００１７】
請求項３に係る本発明として、前記自由端状立体ギャザーを前記ループ状立体ギャザーの表面側に倒した状態で、前記自由端状立体ギャザーはループ状立体ギャザーの幅方向半分以上を覆うように形成されている請求項１、２いずれかに記載の吸収性物品が提供される。
【００１８】
上記請求項３記載の発明では、自由端状立体ギャザーをループ状立体ギャザーの幅方向半分以上を覆うように形成することにより、股間部領域では身体への追従性が向上するとともに、その前後領域ではループ状立体ギャザーから外側への体液の漏れが低減できる。
【００１９】
請求項４に係る本発明として、前記ループ状立体ギャザーと自由端状立体ギャザーとはそれぞれ別体のシートによって構成されている請求項１〜３いずれかに記載の吸収性物品が提供される。
【００２０】
上記請求項４記載の発明では、ループ状立体ギャザーと自由端状立体ギャザーとをそれぞれ別体のシートで構成することにより、各立体ギャザーに応じた機能を備えた性質のものを採用することができるようになる。
【００２１】
請求項５に係る本発明として、前記ループ状立体ギャザーは親水性を有し、前記自由端状立体ギャザーは撥水性を有するシートによって構成されている請求項４記載の吸収性物品が提供される。
【００２２】
上記請求項５記載の発明は、ループ状立体ギャザーと自由端状立体ギャザーとをそれぞれ別体のシートで構成した場合、ループ状立体ギャザーを親水性、自由端状立体ギャザーを撥水性としたものである。これにより、体液排出部位側から流れてきた体液を内側の親水性を有するループ状立体ギャザーで吸収できるとともに、その外側の撥水性を有する自由端状立体ギャザーによってループ状立体ギャザーで吸収した体液のしみ出しや漏れが防止できるようになる。
【００２３】
請求項６に係る本発明として、前記ループ状立体ギャザーのうち少なくとも幅方向内側には、部材長手方向に沿ってシート状吸収体が配設されている請求項１〜５いずれかに記載の吸収性物品が提供される。
【００２４】
請求項７に係る本発明として、前記シート状吸収体が配設された部分のループ状立体ギャザーには、複数の開孔が設けられている請求項６記載の吸収性物品が提供される。
【００２５】
上記請求項６，７記載の発明では、ループ状立体ギャザーのうち少なくとも幅方向内側に、部材長手方向に沿ってシート状吸収体を配設し、必要に応じて前記シート状吸収体が配設された部分に複数の開孔を設けることにより、体液排出部位側から流れてきた体液をループ状立体ギャザーで確実に吸収するようにしている。
【発明の効果】
【００２６】
以上詳説のとおり本発明によれば、使用面側の両側部にそれぞれ長手方向に沿って使用面側に起立する立体ギャザーが形成された吸収性物品において、身体の動きに追従して身体との間に隙間が形成されにくく安定した密着性を確保するとともに、立体ギャザーが内側に倒れにくくした吸収性物品が提供できるようになる。
【図面の簡単な説明】
【００２７】
【図１】本発明に係る生理用ナプキン１の一部破断展開図である。
【図２】そのII−II線矢視図である。
【図３】図１のIII−III線矢視図である。
【図４】図１のIV−IV線矢視図である。
【図５】立体ギャザーＢＳの他の形態例を示す横断面図である。
【図６】立体ギャザーＢＳの他の形態例を示す横断面図である。
【図７】立体ギャザーＢＳの他の形態例を示す横断面図である。
【発明を実施するための形態】
【００２８】
以下、本発明の実施の形態について図面を参照しながら詳述する。
【００２９】
〔生理用ナプキン１の基本構造〕
本発明に係る生理用ナプキン１は、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略側縁部を起立基端とし、かつ少なくとも体液排出部位Ｈから前後方向に所定の区間内において表面側（使用面側）に突出して設けられた左右一対の立体ギャザーＢＳ、ＢＳを形成するギャザー形成用不織布６とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延在している前記不透液性裏面シート２と、ギャザー形成用不織布６とがホットメルトなどの接着剤やヒートシール等の接着手段によって接合され、これら不透液性裏面シート２とギャザー形成用不織布６とによる積層シート部分によって側方に突出するウイング状フラップＷ、Ｗが形成されているとともに、これよりも臀部側に位置する部分に第２ウイング状フラップＷＢ、ＷＢが形成されている。
【００３０】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３１】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００３２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３３】
本生理用ナプキン１の表面には、適宜の形状で圧搾溝８を形成することができる。図１に示される例では、ナプキン１の長手方向に細長く、かつ周方向に閉合する圧搾溝８が形成されている。
【００３４】
前記透液性表面シート３の幅寸法は、図示例では、図２の横断面図に示されるように、吸収体４の幅よりも若干長めとされ、吸収体４を覆うだけに止まり、前記立体ギャザーＢＳ、ＢＳは前記透液性表面シート３とは別のギャザー形成用不織布６によって形成され、立体ギャザーＢＳ、ＢＳの外側には、前記不透液性裏面シート２の表面側に外側に延びるギャザー形成用不織布６が積層されている。これらギャザー形成用不織布６は、立体ギャザーの機能、経血やおりもの等が浸透するのを防止する、あるいは肌触り感を高めるなどの目的等に応じて、適宜の撥水処理または親水処理を施した不織布素材を用いて構成されている。かかる不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３５】
前記ギャザー形成用不織布６は、図２に示されるように、不透液性裏面シート２の外縁までの範囲に亘ってホットメルトなどの接着剤によって接着し、これら前記ギャザー形成用不織布６と不透液性裏面シート２との積層シート部分により、ほぼ体液排出部に相当する吸収体側部位置に左右一対のウイング状フラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗを折返し線ＲＬ位置にて反対側に折り返し、ショーツのクロッチ部分に巻き付けて止着するようになっている。
【００３６】
以下、前記立体ギャザーＢＳについて詳述する。
【００３７】
〔立体ギャザーＢＳについて〕
図２に示されるように、立体ギャザーＢＳは、少なくとも体液排出部位Ｈを含む股間部領域Ａ１において、断面が中空のループ状立体ギャザー２０と、その生理用ナプキン１の幅方向外側を起立基端とし先端が自由端とされた自由端状立体ギャザー２１とから構成されている。
【００３８】
詳細には、図２に示されるように、ギャザー形成用不織布６のナプキン幅方向内側が二重に折り返され、この二重シート部分を内側接合部２２の内縁部を基端としてナプキン幅方向外側であって表面から突出する起立側にループ状に折曲げるとともに外側接合部２３で再び表面側に接合することによって、断面が中空のループ状とされたループ状立体ギャザー２０を形成し、これに連続して前記外側接合部２３の外縁部を起立基端として表面から突出する起立側に折り返すことによって、二重シート部分の折り返し部を自由端の先端とした自由端状立体ギャザー２１を形成している。各立体ギャザーＢＳは、図２に示される断面視で、前記内側接合部２２の内側縁から外側接合部２３の外側縁までの離隔幅とほぼ同等の幅で形成されている。
【００３９】
前記股間部領域Ａ１とは、少なくとも体液排出部位Ｈを含む領域であって、後端が臀部の溝の開始付近、前端が下腹部にかかる付近までの領域を指す。
【００４０】
また、図３に示されるように、前記股間部領域Ａ１より後側領域Ａ２及び前側領域Ａ３では、自由端状立体ギャザー２１の先端部をループ状立体ギャザー２０の表面側に接合する接合部２４が設けられ、自由端状立体ギャザー２１の先端部の起立が抑制されている。
【００４１】
なお、図４に示されるように、前記後側領域Ａ２の後端部及び前側領域Ａ３の前端部では、ループ状立体ギャザー２０及び自由端状立体ギャザー２１を折り畳むようにして積層した上で、適宜、接合部３０、３０で接合することにより、ループ状立体ギャザー２０及び自由端状立体ギャザー２１の起立をなくした非起立部とされている。ループ状立体ギャザー２０を折り畳む際、内側接合部２２近傍の起立基端より内側に突出しないように折り畳み、折り畳むことによる弛み分は全て外側接合部２３の外側に突出させるようにすることが望ましい。これにより、股間部領域Ａ１等において、ループ状立体ギャザー２０が身体に押し付けられることによって内側に倒れるのが防止できる。
【００４２】
一方、図２及び図３に示されるように、ループ状立体ギャザー２０及び自由端状立体ギャザー２１にはそれぞれ、前記ギャザー形成用不織布６の二重シート内部の所定位置に、表面から突出する起立側中間部に両端または長手方向の適宜の位置が固定された複数条の弾性伸縮部材２５…、２６…が配設されている。
【００４３】
このように前記立体ギャザーＢＳをループ状立体ギャザー２０と自由端状立体ギャザー２１とから構成することによって、身体の動きにより不意に立体ギャザーＢＳと身体とが離れる方向に動いた場合でも、動きに対する自由度が高い自由端状立体ギャザー２１が身体に追従して身体との間に隙間を作らず、安定した密着性が確保できるようになる。このため、体液の漏れ防止効果に優れるようになる。
【００４４】
また、通常の装着時には、ループ状立体ギャザー２０によって安定して身体との密着性が保たれるので、漏れ防止効果に優れるようになる。
【００４５】
さらに、自由端状立体ギャザー２１がループ状立体ギャザー２０の外側に形成されているため、自由端状立体ギャザー２１が吸収体側（ナプキン幅方向内側）に倒れ込むのが抑制でき、体液の吸収機能を低下するおそれがなくなる。
【００４６】
一方、図２に示されるように、股間部領域Ａ１において、自由端状立体ギャザー２１の起立高さＴ２は、ループ状立体ギャザー２０の起立高さＴ１より高く形成することが好ましい（Ｔ１、Ｔ２は、いずれも生理用ナプキン１の表面から起立頂部までの高さ。）。これにより、ループ状立体ギャザー２０から大きくずれるような身体の動きがあっても、自由端状立体ギャザー２１が身体の動きに追従できるため、身体との間に隙間が形成されにくくなる。
【００４７】
また、自由端状立体ギャザー２１をループ状立体ギャザー２０の表面側に倒した状態で、自由端状立体ギャザー２１はループ状立体ギャザー２０の幅方向半分以上を覆うように形成することが好ましい。
【００４８】
一方、図３に示されるように、股間部領域Ａ１の後側領域Ａ２及び前側領域Ａ３において自由端状立体ギャザー２１の先端部をループ状立体ギャザー２０の表面側に接合する際には、図示例のように、自由端状立体ギャザー２１とループ状立体ギャザー２０との間にやや外側に広がった空間部２７が形成されるように接合部２４の位置を調整することが好ましい。これにより、一体化された立体ギャザーＢＳの高さ方向の頂部が、立体ギャザーＢＳの幅方向中心より外側に形成されるため、この立体ギャザーＢＳが身体に押し付けられたとき、全体的に外側に押しひろげられるように変形するため、立体ギャザーＢＳが内側に倒れ込むのが防止でき、体液の吸収面を狭めて吸収機能を低下するのが防止できる。
【００４９】
立体ギャザーＢＳの他の形態例として、上記形態例ではループ状立体ギャザー２０及び自由端状立体ギャザー２１を連続する同一のギャザー形成用不織布６によって形成していたが、図５に示されるように、ループ状立体ギャザー２０と自由端状立体ギャザー２１とをそれぞれ別体のシートによって構成することもできる。詳細には、ナプキン幅方向外側から内側方向に延在した自由端状立体ギャザー形成用不織布６Ａが内側位置で表面から突出する起立側に折り曲げられるとともに、その先端部が二重に折り返され、この二重シート部分によって自由端状立体ギャザー２１が形成されている。また、二重シートに折り返したループ状立体ギャザー形成用不織布６Ｂの折り返し基端側が透液性表面シート３と前記自由端状立体ギャザー形成用不織布６Ａの内側折り返し部分との間に介在されるとともに、幅方向内側位置で表面から突出する起立側であってナプキン幅方向外側にループ状に折り曲げられ、二重シートの折り返し先端部が内側に折り曲げられ、この折曲げ部分が前記自由端状立体ギャザー２１より内側位置であって自由端状立体ギャザー形成用不織布６Ａの表面に接合されている。
【００５０】
自由端状立体ギャザー形成用不織布６Ａ、ループ状立体ギャザー形成用不織布６Ｂは、同じ性質を有するものを用いてもよいが、ループ状立体ギャザー形成用不織布６Ｂは親水性を有し、自由端状立体ギャザー形成用不織布６Ａは撥水性を有するものを用いることができる。これによって、体液排出部位Ｈ側から流れてきた経血を内側の親水性を有するループ状立体ギャザー２０で吸収できるとともに、その外側の撥水性を有する自由端状立体ギャザー２１によってループ状立体ギャザー２０で吸収した体液のしみ出しや漏れが防止できる。
【００５１】
前記不織布６Ａ、６Ｂとしては、両方とも親水性又は撥水性を有するものを用いることもできる。親水性の不織布としては、レーヨンやキュプラ等の再生繊維、綿等の天然繊維を用いることにより素材自体に親水性を有するものを用いるか、例えばポリエチレンまたはポリプロピレン等のオレフィン系、ポリエステル系、ポリアミド系等の合成繊維を親水化剤によって表面処理し親水性を付与した繊維からなる親水処理不織布を用いることができる。また、撥水性の不織布としては、シリコン系、パラフィン系、アルキルクロミッククロリド系撥水剤などをコーティングした撥水処理不織布を用いることができる。
【００５２】
なお、生理用ナプキン１の外縁にまで延在させる不織布として、自由端状立体ギャザー形成用不織布６Ａの代わりにループ状立体ギャザー形成用不織布６Ｂとしてもよいし、これらの不織布６Ａ、６Ｂとは別体の不織布を配設してもよい。
【００５３】
図６に示されるように、ループ状立体ギャザー２０のうち少なくとも幅方向内側には、薄いシート状吸収体２８を部材長手方向に沿って配設することができる。図示例では、前記シート状吸収体２８は、二重シートに折り返されたループ状立体ギャザー形成用不織布６Ｂの二重シート間に介在させている。前記シート状吸収体２８は、図示例では、ループ状立体ギャザー２０のほぼ半分の幅方向内側に設けられているが、幅方向外側にも延在して配設するようにしてもよい。このとき、ループ状立体ギャザー形成用不織布６Ｂとして透液性の素材を使用するか、図７に示されるように、シート状吸収体２８が配設された部分のループ状立体ギャザー形成用不織布６Ｂに複数の開孔２９、２９…を設けることが好ましい。図示例では、前記開孔２９、２９…は、二重シートのループ状立体ギャザー形成用不織布６Ｂのうち、シート状吸収体２８より表面側の不織布に対して設けられている。
【００５４】
前記シート状吸収体２８を配設することにより、体液排出部位Ｈ側から流れてきた経血等をループ状立体ギャザー２０で確実に吸収することができ、ループ状立体ギャザー形成用不織布６Ｂに開孔２９、２９…を設けることにより、吸収効果をより一層高めることができるようになる。
【００５５】
シート状吸収体２８としては、例えばエアレイド等の薄い吸収体、好ましくは１mm以下の厚みとすたものを用いるのが望ましい。また、前記シート状吸収体２８としてはクレープ紙などを用いるようにしてもよい。
【００５６】
前記シート状吸収体２８をループ状立体ギャザー２０のほぼ内側半分に配設した場合、前述のように自由端状立体ギャザー２１をループ状立体ギャザー２０の表面側に倒した状態で、自由端状立体ギャザー２１がループ状立体ギャザー２０の幅方向半分以上を覆うように形成すると、シート状吸収体２８に吸収された体液が幅方向外側に漏れ出るのを防止するという点でより有効である。
【符号の説明】
【００５７】
１…生理用ナプキン、２…不透液性裏面シート、３…透液性表面シート、４…吸収体、５…クレープ紙、６…ギャザー形成用不織布、２０…ループ状立体ギャザー、２１…自由端状立体ギャザー、２５・２６…弾性伸縮部材、ＢＳ…立体ギャザー、Ｗ…ウイング状フラップ、ＷＢ…第２ウイング状フラップ
【図１】
0005784341.tif 000002
【図２】
0005784341.tif 000003
【図３】
0005784341.tif 000004
【図４】
0005784341.tif 000005
【図５】
0005784341.tif 000006
【図６】
0005784341.tif 000007
【図７】
0005784341.tif 000008